(57)【要約】【課題】同一の表示情報が複数の表示媒体上に表示されている状態において、いずれかの表示媒体上で任意の位置がユーザ操作によって指示された場合に、その指示位置を他の表示媒体にも反映できるようにする。【解決手段】プロジェクタから撮影画像を取得して（図６のステップＳ１２）、撮影画像を解析し（ステップＳ１４）、スポット照射部分を特定する（ステップＳ１５）。そして、スポット色及びそり表示位置（指示位置）を検出し（ステップＳ１７）、このスポット色と同一の色を持った指示マークを生成し（ステップＳ１８）、この指示マークをその指示位置に該当する指定ページ内の位置に合成し（ステップＳ１９）、この合成ページの表示情報を配信先の各情報表示装置１に対して送信する（ステップＳ２０）。【選択図】  図６
2014098789.tif 000002
【特許請求の範囲】
【請求項１】
同一の表示情報を複数の表示媒体上に表示させるための表示制御を行う情報表示装置であって、
前記表示情報が前記複数の表示媒体に表示されている状態において、いずれかの表示媒体上で任意の位置がユーザ操作によって指示された場合にその指示位置を検出する検出手段と、
前記検出手段により検出された指示位置を識別するためのマークを前記表示情報内の該当位置に合成する合成手段と、
前記複数の表示媒体のうち前記ユーザ操作によって任意の位置が指示された表示媒体を除く他の表示媒体に対して、前記合成手段により合成されたマーク付きの表示情報を表示させるための表示制御を行う制御手段と、
を備えたことを特徴とする情報表示装置。
【請求項２】
前記表示情報を前記複数の表示媒体上に表示させるための表示制御を行ったか否かを判別する判別手段を更に備え、
前記検出手段は、前記判別手段によって表示情報を複数の表示媒体上に表示させるための表示制御が行われたと判別された場合に前記指示位置の検出を行う、
ようにしたことを特徴とする請求項１に記載の情報表示装置。
【請求項３】
前記検出手段は、表示媒体上で任意の位置がユーザ操作によって指示された場合にその指示位置を含む指示内容を検出し、
前記合成手段は、前記検出手段により検出された指示内容を識別するためのマークを前記表示情報内の該当位置に合成する、
ようにしたことを特徴とする請求項１あるいは請求項２に記載の情報表示装置。
【請求項４】
前記表示媒体上で任意の位置がユーザ操作によって指示された場合にその表示媒体に表示されている表示情報を撮影した撮影画像を取得する画像取得手段を更に備え、
前記検出手段は、前記画像取得手段によって取得された撮影画像を解析することによりユーザ操作によって指示された指示位置を検出する、
ようにしたことを特徴とする請求項１〜請求項３のいずれかに記載の情報表示装置。
【請求項５】
前記検出手段は、前記表示媒体上の任意の位置がスポット光の照射により指示された場合、あるいは指し棒や指の先端により指示された場合に、前記画像取得手段によって取得された撮影画像を解析することによりその指示位置を検出する、
ようにしたことを特徴とする請求項４に記載の情報表示装置。
【請求項６】
前記検出手段は、前記表示媒体上の任意の位置がスポット光の照射により指示された場合に、前記画像取得手段によって取得された撮影画像を解析することによりそのスポット照射部分の色を検出すると共にその指示位置を検出し、
前記合成手段は、前記検出手段により検出された色を持ったマークをその指示位置に該当する前記表示情報内の位置に合成する、
ようにしたことを特徴とする請求項４に記載の情報表示装置。
【請求項７】
前記表示媒体は、プロジェクタによる投影画像が表示されるスクリーンボードであり、
前記検出手段は、前記画像取得手段によって取得された前記スクリーンボードの撮影画像を解析することによりそのスクリーンボード上に手書きされたマークを検出すると共にそのマーク位置を指示位置として検出し、
前記合成手段は、前記検出手段により検出された手書きマークをそのマーク位置に該当する前記表示情報内の位置に合成する、
ようにしたことを特徴とする請求項４に記載の情報表示装置。
【請求項８】
コンピュータに対して、
同一の表示情報を複数の表示媒体上に表示させるための表示制御を行う機能と、
前記表示情報が前記複数の表示媒体に表示されている状態において、いずれかの表示媒体上で任意の位置がユーザ操作によって指示された場合にその指示位置を検出する機能と、
前記検出された指示位置を識別するためのマークを前記表示情報内の該当位置に合成する機能と、
前記複数の表示媒体のうち前記ユーザ操作によって任意の位置が指示された表示媒体を除く他の表示媒体に対して、前記合成されたマーク付きの表示情報を表示させるための表示制御を行う機能と、
を実現させるためのプログラム。
【発明の詳細な説明】
【技術分野】
【０００１】
本発明は、同一の表示情報を複数の表示媒体上に表示させるための表示制御を行う情報表示装置及びプログラムに関する。
【背景技術】
【０００２】
従来、同一の表示情報を複数の表示媒体上に表示させるための表示制御を行う技術としては、例えば、複数の情報処理装置をインターネットなどの通信ネットワークを介して接続することにより、遠隔通信による会議を可能としたテレビ会議システムが実現されている（例えば、特許文献１参照）。
一方、プレゼンテーション時において発表者は、プロジェクタからスクリーン上に投影させた投影画像を参加者に見せながら説明する場合に、レーザポインタを使用してスポット光（可視光レーザ）をスクリーン上の説明箇所に照射することにより、その説明箇所を指示しながらプレゼンテーションを行うようにした技術が存在している（例えば、特許文献２、特許文献３参照）。
【先行技術文献】
【特許文献】
【０００３】
【特許文献１】特開２０１２−５４８９７号公報
【特許文献２】特開平１１−８５３９５号公報
【特許文献３】特開２００３−２３４９８３号公報
【発明の概要】
【発明が解決しようとする課題】
【０００４】
ところで、特許文献１のような会議システムに特許文献２・３のようなプロジェクタを融合させた会議システムを考えた場合に、例えば、各部署などに配置されている複数台の情報処理装置にプロジェクタをそれぞれ接続してスクリーン上に表示情報を投影させることにより大勢の参加者に同じ情報をリアルタイムに伝えることが可能となる。このような会議システムにおいては、例えば、いずれかの情報処理装置側の参加者（発表者）がレーザポインタを使用してスポット光（可視光レーザ）をスクリーン上に照射して、説明箇所を指示したとしても、他のスクリーンを見ている他の情報処理装置側の参加者にあっては、どの箇所についての説明であるかを直感的に知ることができず、説明箇所を探さなければならないという問題が起きる。
【０００５】
本発明の課題は、同一の表示情報が複数の表示媒体上に表示されている状態において、いずれかの表示媒体上で任意の位置がユーザ操作によって指示された場合に、その指示位置を他の表示媒体にも反映できるようにすることである。
【課題を解決するための手段】
【０００６】
上述した課題を解決するために本発明の情報表示装置は、
同一の表示情報を複数の表示媒体上に表示させるための表示制御を行う情報表示装置であって、
前記表示情報が前記複数の表示媒体に表示されている状態において、いずれかの表示媒体上で任意の位置がユーザ操作によって指示された場合にその指示位置を検出する検出手段と、
前記検出手段により検出された指示位置を識別するためのマークを前記表示情報内の該当位置に合成する合成手段と、
前記複数の表示媒体のうち前記ユーザ操作によって任意の位置が指示された表示媒体を除く他の表示媒体に対して、前記合成手段により合成されたマーク付きの表示情報を表示させるための表示制御を行う制御手段と、
を備えたことを特徴とする情報表示装置である。
【発明の効果】
【０００７】
本発明によれば、同一の表示情報が複数の表示媒体上に表示されている状態において、いずれかの表示媒体上で任意の位置がユーザ操作によって指示された場合に、その指示位置を他の表示媒体にも反映することができ、会議システムに活用することにより、全ての参加者に対して指示位置をリアルタイムに知らせることができる。
【図面の簡単な説明】
【０００８】
【図１】複数台の情報表示装置１が通信回線網２を介して接続されている会議システムを示したブロック図。
【図２】情報表示装置１である携帯端末装置（例えば、スマートフォン）の基本的な構成要素を示したブロック図。
【図３】プロジェクタ３の基本的な構成要素を示したブロック図。
【図４】（１）、（２）は、各情報表示装置１側のスクリーン５上に投影された投影画像を示した図。
【図５】モード切替キーにより会議モードに切り替えられた際に情報表示装置１側で実行開始される会議処理を示したフローチャート。
【図６】図５の動作に続く会議処理を示したフローチャート。
【図７】本発明の変形例として、複数台の情報表示装置１を分配装置６に接続した会議システムを示した図。
【図８】本発明の変形例として、スクリーン５上の任意の位置を指示する手段として、レーザポインタ４に代えてスクリーン（ホワイトボード）５上に手書きマークを描画することによって任意の位置を指示した場合を示した図。
【発明を実施するための形態】
【０００９】
以下、図１〜図６を参照して本発明の実施形態を説明する。
図１は、複数台の情報表示装置１が通信回線網２を介して接続されている会議システムを示したブロック図である。
情報表示装置１は、会議の参加者側に設置されているＰＣ（パーソナルコンピュータ）や多機能型の携帯端末装置（例えば、スマートフォン）などの情報処理装置であり、図示の例では、一方の情報表示装置１がＰＣの場合、他方の情報表示装置１が携帯端末装置の場合を示しているが、表示情報を制御可能な装置であれば、ＰＣ、携帯端末装置に限らず、また、その接続台数も任意である。
【００１０】
このような複数台の情報表示装置１が通信回線網２を介して相互に接続されることにより双方向通信が可能な会議システムが構築される。なお、この会議システムは、アクセス権限を有する情報表示装置１であれば、任意に接続可能であり、いつでも自由に会議に参加できるようにしており、同一会社内での各部署、あるいは本社と各支店などを連結して会議を行う構内通信システムあるいは広域通信システムである。通信回線網２は、例えば、無線ＬＡＮ（Local  Area  Network）、ＷＡＮ（Wide  Area  Network））などを有し、そのネットワークプロトコルをインターネットプロトコルとしている。なお、図中、情報表示装置１がＰＣの場合には通信回線網２に有線接続され、携帯端末装置の場合には通信回線網２に無線接続されている場合を示している。
【００１１】
この会議システムを構成する各情報表示装置１には、会議用としてカメラ付きのプロジェクタ３が有線接続あるいは無線接続されている。レーザポインタ４は、スポット光（可視光レーザ）をスクリーン５上に照射するもので、発表者が手に持ってスクリーン５上の任意の位置をスポット照射する際に使用される。情報表示装置１は、例えば、プレゼンテーション用資料として任意に選択された資料（表示情報）を自己の表示画面に表示するほか、その表示情報を接続中のプロジェクタ３に送信することによってスクリーン５上に投影表示させる。この場合、情報の配信元（資料提供者側）として指定されている情報表示装置１は、同一の表示情報を他の全ての情報表示装置１を配信先として一斉に送信するようにしている。
【００１２】
すなわち、複数の情報表示装置１のうち、情報の配信元であることを宣言する配信元指定キー（図示省略）が操作された情報表示装置１が情報の配信元となり、他の全ての情報表示装置１が配信先となり、この配信元から配信先に対して表示情報を配信するようにしている。ここで、配信先となる当該他の全ての情報表示装置１は、配信元の情報表示装置１から送信されてきた表示情報を受信する毎に、受信した表示情報を接続中のプロジェクタ３に転送してスクリーン５上に投影表示させるようにしている。以下、配信元を除く他の全ての情報表示装置１を配信先の情報表示装置１と呼称するものとする。
【００１３】
配信元の情報表示装置１は、表示情報が各情報表示装置１側の表示媒体（本実施形態ではスクリーン５）に表示されている状態において、レーザポインタ４によりスクリーン５上の任意の位置がスポット照射されて説明箇所が指示されると、カメラ付きのプロジェクタ３によって撮影されたスクリーン５全体の撮影画像を取得し、その撮影画像を解析することによってその指示位置を検出するようにしている。そして、検出した指示位置を識別するためのマークを生成して表示情報内の該当位置に合成した後、このマーク付きの表示情報を配信先の全ての情報表示装置１に送信することによりそのスクリーン５上に投影表示させるようにしている。すなわち、配信元の情報表示装置１は、各情報表示装置１に対応付けられているスクリーン５のうち、配信元側のスクリーン５を除く他の全てのスクリーン５、つまり、配信先側のスクリーン５にマーク付きの表示情報を表示させるための表示制御を行うようにしている。
【００１４】
図２は、情報表示装置１である携帯端末装置（スマートフォン）の基本的な構成要素を示したブロック図である。
情報表示装置（スマートフォン）１は、その基本機能として通話機能、タッチ入力機能、電子メール機能、インターネット接続機能（Ｗｅｂアクセス機能）などを備えたもので、ＣＰＵ１１を中核としている。ＣＰＵ１１は、二次電池を備えた電源部１２からの電力供給によって動作し、記憶部１３内の各種のプログラムに応じてこの携帯端末装置の全体動作を制御する。記憶部１３は、後述する図５及び図６のフローチャートに示すプログラムなど各種のプログラムを記憶するプログラム領域、この携帯端末装置で必要とされる各種のデータを記憶するデータ領域、一時記憶用のワーク領域を有する。なお、記憶部１３は、ＳＤカードなどの記録メディアを含む構成であってもよく、所定のサーバ装置（図示省略）側の記憶領域を含むものであってもよい。
【００１５】
無線通信部１４は、広域の通信手段であり、通話機能、電子メール機能、インターネット接続機能などの動作時に、音声やデータを変調して無線電波を送信すると共に、受信した音声やデータに復調することで通話やデータ通信を行うようにしている。無線ＬＡＮ部１５は、構内通信網（図示省略）を介して他の情報表示装置１との間でデータの送受信を行う通信インターフェイスである。操作部１６は、電源ボタン、動作モード（後述する会議モード）を切り替えるモード切替キーなどの押しボタン式の各種のキーを有している。外部接続部１７、外部機器（プロジェクタ３、レーザポインタ４）接続用のコネクタ部で、例えば、ＨＤＭＩ（High-Definition  Multimedia  Interface）を有し、外部機器との間で双方向通信が可能となっている。表示部１８は、高精細液晶ディスプレイあるいは有機ＥＬ（Electro  Luminescence）ディスプレイである。
【００１６】
図３は、プロジェクタ３の基本的な構成要素を示したブロック図である。
プロジェクタ３は、情報表示装置１からの投影用の表示情報をスクリーン５上に投影させるもので、ＣＰＵ３１を中核とする。このＣＰＵ３１は、その周辺デバイスとして、ＡＣ電源（商用電源）からの供給電力によって点灯する投影用のライト３２と、この投影用ライトを制御してそのオン／オフや輝度を調整する光源調整部３３と、投影用の表示情報を映し出すための透過型液晶パネル３４と、この透過型液晶パネル３４を駆動する駆動部３５と、投影レンズを駆動するレンズ調整部３６と、電源オン／オフスイッチなどを備えた操作部３７と、カメラ部３８と、通信部３９などを有する構成となっている。
【００１７】
カメラ部３８は、光学レンズからの被写体像が撮像素子（ＣＣＤやＣＭＯＳなど）に結像されることにより被写体を高精細に撮影可能なデジタルカメラであり、静止画像のほかに動画像の撮影も可能なもので、スクリーン５の全体を撮影可能とするために投影レンズに対して並列的に配設されている。通信部３９は、カメラ部３８によって撮影された撮影画像を情報表示装置１からの要求に応じて情報表示装置１に送信するようにしている。
【００１８】
レーザポインタ４は、図示省略したが、ＣＰＵを中核とし、電源部、操作部、レーザ照射部などが設けられている。この操作部には、電源オン／オフスイッチ、撮影を開始させるシャッタキー、色切替えスイッチなどが備えられており、この色切替えスイッチの操作によりレーザ照射部から照射されるレーザ光の色を複数（例えば、赤色レーザ、緑色レーザ、青色レーザの３種類）に切替え可能となっている。この場合、ユーザは、視認性や注意喚起力あるいは指示内容などを考量して色切替えスイッチを操作し、可視光レーザの色を選択するようにしている。レーザ照射部は、可視光レーザを照射してスクリーン５上にスポット照射するもので、そのスポット照射部分が一定の形状（例えば、円形）となるようにしているが、その形状を任意に変更可能としてもよい。
【００１９】
図４は、各情報表示装置１側のスクリーン５上にそれぞれ投影された投影画像を例示した図である。
図４（１）は、配信元の情報表示装置１が携帯端末装置の場合で、その情報表示装置１から送信された投影用の表示情報がプロジェクタ３を介してスクリーン５上に投影されている状態を示した図である。この場合、配信元側の参加者（発表者）がレーザポインタ４を使用して可視光レーザをスクリーン５上に照射することで説明箇所を指示した場合を例示している。図示の例では、表示内容の“先進の機能”が説明箇所として指示された場合であり、図中、指示箇所付近の円形は、スポット照射部分を示している。なお、赤色レーザによる照射であれば、その照射部分は赤色表示となっている。
【００２０】
プロジェクタ３は、配信元の情報表示装置１から送信されてきた投影用の表示情報を受信すると、その表示情報をスクリーン５上に投影させると共に、カメラ部３８を起動して撮影を開始し、スクリーン５上の投影画像の全体を撮影し、その撮影画像を通信部３９から情報表示装置１に対して送信するようにしている。この情報表示装置１は、プロジェクタ３から撮影画像を受信すると、その撮影画像を解析することにより可視光レーザによるスポット照射部分をユーザ操作による指示位置として検出すると共に、検出した指示位置を識別するためのマークを生成して、投影中の表示情報内の該当位置に合成した後、配信先の各情報表示装置１に配信するようにしている。
【００２１】
図４（２）は、配信先の各情報表示装置１において、配信元の情報表示装置１から配信されたマーク付きの表示情報をそのプロジェクタ３を介してスクリーン５上に投影させた場合の投影画像を示した図である。図示の例では、配信先側のスクリーン５上には、配信元側の指示位置（スポット照射部分）に代わって、その指示位置を識別するための星形マークが表示された場合を例示している。この場合、配信元側で使用された可視光レーザは、赤色レーザであれば、星形マークも赤色表示となる。なお、指示位置を識別するためのマークは、星形に限らず、その形状は任意であり、また、点灯表示に限らず、点滅表示などであってもよい。
【００２２】
次に、本実施形態における情報表示装置１の動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
なお、図５及び図６は、情報表示装置１の全体動作のうち、本実施形態の特徴部分の動作概要を示したフローチャートであり、この図５及び図６のフローから抜けた際には、全体動作のメインフロー（図示省略）に戻る。
【００２３】
図５及び図６は、上述のモード切替キーにより会議モードに切り替えられた際に情報表示装置１側で実行開始される会議処理を示したフローチャートである。この会議モードは、複数の情報表示装置１間でプロジェクタ３を使用して会議を行う場合の動作モードである。この会議モードにおいてそのいずれかの参加者は、会議の開始に当たって自己の情報表示装置１を情報の配信元とする場合には、それを宣言するために配信元指定キー（図示省略）を操作するものとする。
先ず、情報表示装置１のＣＰＵ１１は、上述の配信元指定キーの操作によって自己が情報の配信元として指定されているかを調べ（図５のステップＳ１）、配信元が指定されていなければ（ステップＳ１でＮＯ）、自己は他の配信元の情報表示装置１から表示情報を受信する配信先であると判断し、配信元の情報表示装置１から送信されてきた表示情報を受信したかを調べたり（ステップＳ９）、ユーザ操作により会議モードが解除されたか（会議終了か）を調べたりする（ステップＳ１１）。
【００２４】
いま、会議モードにおいて、自己が情報の配信元として指定されているときには（ステップＳ１でＹＥＳ）、プレゼンテーション用資料の一覧画面の中からユーザ操作により表示対象として任意に選択された資料ファイル（表示情報）を記憶部１３から読み出して、表示部１８に表示させる資料ファイル取得処理を行う（ステップＳ２）。この状態において、ユーザ操作により会議モードが解除されたか（会議終了か）を調べたり（ステップＳ３）、ユーザ操作により配信元の指定が解除されたかを調べたりする（ステップＳ４）。
【００２５】
会議モードにおいて配信元であれば（ステップＳ４でＹＥＳ）、表示情報を自己のスクリーン５上に投影表示させる処理を行う。すなわち、資料ファイルの中から表示対象として任意のページ（表示情報）がユーザ操作により指定されると（ステップＳ５）、その指定ページの表示情報を読み出して自己のプロジェクタ３に送信し、スクリーン５上に投影表示させる（ステップＳ６）。次に、配信先となる他の情報表示装置１が接続されているか（配信先が有るか）を調べ（ステップＳ７）、配信先が接続されていなければ（ステップＳ７でＮＯ）、上述のステップＳ３に戻り、以下、ページ指定される毎にその指定ページの表示情報を自己のプロジェクタ３を介してスクリーン５上に順次投影表示させる動作を行う（ステップＳ５、Ｓ６）。
【００２６】
一方、配信先の情報表示装置１が接続されていれば（ステップＳ７でＹＥＳ）、表示対象として指定されたページの表示情報を、配信先の全ての情報表示装置１（自己を除く他の全ての情報表示装置１）に対して送信する処理を行う（ステップＳ８）。この場合、配信先の情報表示装置１は、配信元の情報表示装置１から送信されてきた指定ページの表示情報を受信すると（ステップＳ９でＹＥＳ）、その表示情報を自己のプロジェクタ３に送信して、そのスクリーン５上に投影表示させる（ステップＳ１０）。
【００２７】
このように同一の表示情報が各情報表示装置１側のスクリーン５上に投影表示されている状態において、配信元の情報表示装置１は、自己のプロジェクタ３から撮影画像を取得して（ステップＳ１２）、カメラ３８の撮影角度に応じて台形歪補正などを施す（ステップＳ１３）。そして、撮影画像を解析し（ステップＳ１４）、色、形状、大きさ、明るさからスポット照射部分を特定し（ステップＳ１５）、撮影画像内にスポット照射部分が含まれているかを調べる（ステップＳ１６）。いま、スポット照射部分が含まれていなければ（ステップＳ１６でＮＯ）、図５のステップＳ３に戻るが、スポット照射部分が含まれていれば（ステップＳ１６でＹＥＳ）、そのスポット色及びそり表示位置（指示位置）を検出する処理を行う（ステップＳ１７）。
【００２８】
そして、このスポット色と同一の色（同一の指示内容）を持った指示マーク（例えば、星形マーク）を生成すると共に（ステップＳ１８）、この指示マーク（本実施形態では、星形マーク）をその指示位置に該当する指定ページ（表示情報）内の位置に合成し（ステップＳ１９）、この合成ページの表示情報を配信先の各情報表示装置１に対して配信する（ステップＳ２０）。なお、指示マーク（星形マーク）は、上述したようにスポット色と同一の色であるが、その大きさもスポット照射部分と略同一となっている。次に、図５のステップＳ３に戻り、以下、配信元が解除されるまで配信元としての動作を繰り返す（ステップＳ５〜Ｓ２０）。
【００２９】
ここで、配信元が解除されたときには（図５のステップＳ４でＹＥＳ）、上述のステップＳ９に移り、以下、配信元から配信先として機能し、配信元の情報表示装置１から表示情報を受信したときには（ステップＳ９でＹＥＳ）、その表示情報をプロジェクタ３を介してスクリーン５上に投影表示させる（ステップＳ１０）。ここで、受信した表示情報に上述の指示マーク（星形マーク）が合成されている場合には、投影画像には指示マーク（星形マーク）が含まれたものとなる。次に、上述のステップＳ１１に移り、会議モードが解除されて会議終了となるまでステップＳ１に戻るが、会議モードが解除されたときには（ステップＳ４、Ｓ１１でＹＥＳ）、図５及び図６のフローから抜ける。
【００３０】
以上のように、本実施形態において配信元の情報表示装置１は、表示情報が各情報表示装置側の表示媒体（スクリーン５）にそれぞれ表示されている状態において、レーザポインタ４によりスクリーン５上の任意の位置がスポット照射によって指示されると、その指示位置を検出すると共に、この指示位置を識別するためのマーク（例えば、星形マーク）を表示情報内の該当位置に合成した後、配信元のスクリーン５を除く他の全てのスクリーン５に対して、マーク付きの表示情報を表示させるための表示制御を行うようにしたので、いずれかのスクリーン５上での指示位置を他の全てのスクリーン５にも反映することができ、全ての参加者に対してその指示位置をリアルタイムに知らせることが可能となる。
【００３１】
配信元の情報表示装置１は、表示情報を複数のスクリーン５上に表示させるための表示制御を行った後に、スクリーン５上の指示位置を検出するようにしたので、無駄な検出が不要となる。
【００３２】
配信元の情報表示装置１は、スクリーン５上で任意の位置がレーザポインタ４によって指示された場合にその指示位置を含む指示内容を検出し、その指示内容（例えば、色）を識別するためのマークを表示情報内の該当位置に合成するようにしたので、指示位置のみならず、全ての参加者に対して指示内容もリアルタイムに知らせることが可能となる。
【００３３】
配信元の情報表示装置１は、スクリーン５上で任意の位置がレーザポインタ４により指示された場合にそのスクリーン５に表示されている表示情報を撮影した撮影画像をプロジェクタ３から取得して解析することにより指示位置を検出するようにしたので、指示位置を適切に検出することができる。
【００３４】
配信元の情報表示装置１は、スクリーン５上の任意の位置がスポット照射により指示された場合に、プロジェクタ３により撮影された撮影画像を解析することによりそのスポット照射部分の色とその指示位置を検出し、その色を持ったマークをその指示位置に該当する表示情報内の位置に合成するようにしたので、全ての参加者に指示内容を色によって知らせることが可能となる。
【００３５】
なお、上述した実施形態においては、複数台の情報表示装置１を、通信回線網２を介して接続した会議システムを例示したが、図７に示すような分配装置６に接続した会議システムであってもよい。例えば、同一部署内の担当グループ毎に設置されている各情報表示装置１を、分配装置６に接続して会議システムを構築するようにしてもよい。この分配装置６は、入力端子６１と複数の出力端子６２を有する構成で、複数台の情報表示装置１のうち、そのいずれかの情報表示装置１が情報の配信元として、また、他の全ての情報表示装置１が配信先として固定的に接続されている状態において、配信元から送信されてきた表示情報を入力端子６１を介して取り込むと、複数の出力端子６２を介して配信先である全ての情報表示装置１に配信する動作を行う機能を有している。このような分配装置６を設けることによって、上述の実施形態と同様に、同一の表示情報をリアルタイムに配信することが可能となる。
【００３６】
また、上述した実施形態においては、スクリーン５上に表示されている投影画像内の任意の位置をレーザポインタ４によるレーザ照射で指示するようにしたが、スクリーン５上にマークを直接手書きすることによって投影画像内の任意の位置を直接指示するようにしてもよい。この場合、スクリーン５としてマーカペンなどによって手書きが可能となるように、例えば、白く表面加工されたホワイトボード（スクリーンボード）を使用し、また、情報表示装置１は、プロジェクタ３から取得した撮影画像を解析することによってその手書き部分及びその位置を検出するようにすればよい。これによってスクリーン５上に直接手書き描画された手書きマーク付きの表示情報を配信先の各情報表示装置１に送信することができる。
【００３７】
図８は、スクリーン（ホワイトボード）５上に表示されている投影画像内の任意の位置を囲むように、例えば、円形のマークが手書き描画された場合を示した図である。
ここで、配信元の情報表示装置１は、スクリーン（ホワイトボード）５上の撮影画像を解析することによりその手書きされたマークを検出すると共にそのマーク位置を指示位置として検出し、この検出した手書きマークをそのマーク位置に該当する表示情報内の位置に合成して各配信先の情報表示装置１に配信するようにすればよい。これによってスクリーン（ホワイトボード）５上に任意のマークが手書きによって描画された場合に、その手書きされたマークをそのまま各配信先側のスクリーン５上に投影させることができ、各スクリーン５上には形状・色・模様などが同一で表示位置も同一のマークがそれぞれ表示されることになる。
【００３８】
また、上述した実施形態においては、スクリーン５上に表示されている投影画像内の任意の位置をレーザポインタ４からのレーザ照射で指示するようにしたが、レーザポインタ４に限らず、例えば、スクリーン５上の任意の位置を、発表者が持っている指し棒（図示省略）の先端で直接指示したり、自身の指の先端で直接指示したりするようにしてもよい。この場合においても、情報表示装置１は、プロジェクタ３から取得した撮影画像を解析することにより、指し棒や指の先端を認識するようにすればよい。この場合、配信元の情報表示装置１は、上述の実施形態と同様に指示位置を識別するためのマーク（例えば、星形マーク）を表示情報内の該当位置に合成した後、配信先の各情報表示装置１に対して配信するようにすればよい。このように指し棒や指による簡単な指示を行うだけでも、上述の実施形態と同様の効果を得ることができる。
【００３９】
上述した実施形態においては、表示情報の表示媒体としてスクリーン５を使用するようにしたが、各情報表示装置１に備えられている自身の表示部１８あるいは外部接続されている外部表示装置を表示媒体とするようにしてもよい。
【００４０】
上述した実施形態においては、レーザポインタ４から照射されるレーザ光の色を指示内容として認識するようにしたが、更に指示内容として形状、模様などを認識し、同じ形状、模様などを持ったマークを生成して表示情報に合成するようにしてもよい。
【００４１】
また、レーザポインタ４に点滅周期切替えスイッチを設け、このスイッチ操作によりレーザポインタ４から照射されるパルス波の周期（点滅周期）を複数（例えば、高速点滅、中速点滅、低速点滅の３種類）に切替え可能としてもよい。この場合、プロジェクタ３のカメラ部３８は、スクリーン５を動画撮影し、この動画像を情報表示装置１に送信するようにすれば、情報表示装置１では動画像を解析することによって高速点滅、中速点滅、低速点滅を指示内容として認識することができる。この場合、点滅周期（指示内容）に応じた種類のマークを生成して、このマーク付きの表示情報を配信先の全ての情報表示装置１に配信するようにしてもよい。
【００４２】
また、上述した実施形態においては、情報表示装置１として、ＰＣ、携帯端末装置に適用した場合を示したが、これに限らず、タブレット端末装置、デジタルカメラ、音楽プレイヤーなどであってもよい。また、情報表示装置１としては、プロジェクタ及びカメラを組み込んだものであってもよい。
【００４３】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００４４】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
同一の表示情報を複数の表示媒体上に表示させるための表示制御を行う情報表示装置であって、
前記表示情報が前記複数の表示媒体に表示されている状態において、いずれかの表示媒体上で任意の位置がユーザ操作によって指示された場合にその指示位置を検出する検出手段と、
前記検出手段により検出された指示位置を識別するためのマークを前記表示情報内の該当位置に合成する合成手段と、
前記複数の表示媒体のうち前記ユーザ操作によって任意の位置が指示された表示媒体を除く他の表示媒体に対して、前記合成手段により合成されたマーク付きの表示情報を表示させるための表示制御を行う制御手段と、
を備えたことを特徴とする情報表示装置である。
（請求項２）
請求項２に記載の発明は、請求項１に記載の情報表示装置において、
前記表示情報を前記複数の表示媒体上に表示させるための表示制御を行ったか否かを判別する判別手段を更に備え、
前記検出手段は、前記判別手段によって表示情報を複数の表示媒体上に表示させるための表示制御が行われたと判別された場合に前記指示位置の検出を行う、
ようにしたことを特徴とする情報表示装置である。
（請求項３）
請求項３に記載の発明は、請求項１あるいは請求項２に記載の情報表示装置において、
前記検出手段は、表示媒体上で任意の位置がユーザ操作によって指示された場合にその指示位置を含む指示内容を検出し、
前記合成手段は、前記検出手段により検出された指示内容を識別するためのマークを前記表示情報内の該当位置に合成する、
ようにしたことを特徴とする情報表示装置である。
（請求項４）
請求項４に記載の発明は、請求項１〜請求項３のいずれかに記載の情報表示装置において、
前記表示媒体上で任意の位置がユーザ操作によって指示された場合にその表示媒体に表示されている表示情報を撮影した撮影画像を取得する画像取得手段を更に備え、
前記検出手段は、前記画像取得手段によって取得された撮影画像を解析することによりユーザ操作によって指示された指示位置を検出する、
ようにしたことを特徴とする情報表示装置である。
（請求項５）
請求項５に記載の発明は、請求項４に記載の情報表示装置において、
前記検出手段は、前記表示媒体上の任意の位置がスポット照射により指示された場合、あるいは指し棒や指の先端により指示された場合に、前記画像取得手段によって取得された撮影画像を解析することによりその指示位置を検出する、
ようにしたことを特徴とする情報表示装置である。
（請求項６）
請求項６に記載の発明は、請求項４に記載の情報表示装置において、
前記検出手段は、前記表示媒体上の任意の位置がスポット光の照射により指示された場合に、前記画像取得手段によって取得された撮影画像を解析することによりそのスポット照射部分の色を検出すると共にその指示位置を検出し、
前記合成手段は、前記検出手段により検出された色を持ったマークをその指示位置に該当する前記表示情報内の位置に合成する、
ようにしたことを特徴とする情報表示装置である。
（請求項７）
請求項７に記載の発明は、請求項４に記載の情報表示装置において、
前記表示媒体は、プロジェクタによる投影画像が表示されるスクリーンボードであり、
前記検出手段は、前記画像取得手段によって取得された前記スクリーンボードの撮影画像を解析することによりそのスクリーンボード上に手書きされたマークを検出すると共にそのマーク位置を指示位置として検出し、
前記合成手段は、前記検出手段により検出された手書きマークをそのマーク位置に該当する前記表示情報内の位置に合成する、
ようにしたことを特徴とする情報表示装置である。
（請求項８）
請求項８に記載の発明は、
コンピュータに対して、
同一の表示情報を複数の表示媒体上に表示させるための表示制御を行う機能と、
前記表示情報が前記複数の表示媒体に表示されている状態において、いずれかの表示媒体上で任意の位置がユーザ操作によって指示された場合にその指示位置を検出する機能と、
前記検出された指示位置を識別するためのマークを前記表示情報内の該当位置に合成する機能と、
前記複数の表示媒体のうち前記ユーザ操作によって任意の位置が指示された表示媒体を除く他の全ての表示媒体に対して、前記合成されたマーク付きの表示情報を表示させるための表示制御を行う機能と、
を実現させるためのプログラムである。
【符号の説明】
【００４５】
１  情報表示装置
２  通信回線網
３  プロジェクタ
４  レーザポインタ
５  スクリーン
１１  ＣＰＵ
１３  記憶部
１４  無線通信部
１５  無線ＬＡＮ部
１６  操作部
１７  外部接続部
１８  表示部
３１  ＣＰＵ
３８  カメラ部
３９  通信部
【図１】
2014098789.tif 000003
【図２】
2014098789.tif 000004
【図３】
2014098789.tif 000005
【図４】
2014098789.tif 000006
【図５】
2014098789.tif 000007
【図６】
2014098789.tif 000008
【図７】
2014098789.tif 000009
【図８】
2014098789.tif 000010